(57)【要約】      （修正有）【課題】透明な袋など被着体の内側に表示可能で、しかも、既知のプリンタで可変情報が印字可能な表示用シートおよび表示用シートの表示方法を提供することを課題とする。【解決手段】シート基材２の表面に表示面５が形成され、裏面に、シート基材の搬送制御用の識別マーク６および被着体に貼付するための粘着剤層が剥離紙４に被覆されて形成されている。【選択図】図１
2005106952.tif 000002
【特許請求の範囲】
【請求項１】
シート基材の表面に表示面が形成され、裏面に、シート基材の搬送制御用の識別マークおよび被着体に貼付するための粘着剤層が形成されることを特徴とする表示用シート。
【請求項２】
前記粘着剤層を被覆し、前記被着体に貼付するときに剥離される剥離紙を備えたことを特徴とする請求項1に記載の表示用シート。
【請求項３】
前記粘着剤層は、少なくとも側端部の１つに設けられるとともに、シート基材の表示面側への折り曲げを容易とする折れ曲げ線部により区画されていることを特徴とする請求項１または２に記載の表示用シート。
【請求項４】
シート基材の表面に表示面が形成され、裏面に、シート基材の搬送制御用の識別マークが形成され、かつ、少なくとも側端部の１つに、被着体に貼付するための粘着剤層が折れ曲げ線部により区画されるとともに、前記粘着剤層を剥離紙により被覆して成る表示用シートの使用方法であって、
前記折れ曲げ線部に沿って前記粘着剤層および剥離紙を前記シート基材の表示面側に折り返し、かつ、前記粘着剤層を被覆する剥離紙を剥離して粘着剤層を露呈し、粘着剤層を介して透明な被着体の内側に表示することを特徴とする表示用シートの表示方法。
【発明の詳細な説明】
【技術分野】
【０００１】
本発明は、特に、配達用のビニール袋などの透明な被着体の内側に貼付して可変情報を表示可能とした表示用シートおよび表示用シートの表示方法に関する。
【背景技術】
【０００２】
従来、ゴミ袋などの被着体の表面に貼付するゴミ袋貼付用ラベル（表示用シート）としては、例えば、ラベル本体のおもて面上に剥離層を備える一方、その裏面上に粘着層を備えたものがある（例えば、特許文献１参照）。
しかしながら、上記ゴミ袋貼付用ラベルであると、裏面上の粘着層を使ってゴミ袋に貼付するため、袋の外側の表面に表示されることになり、ゴミ袋が重なると袋同士がこすれてゴミ袋貼付用ラベルの表示が汚れて見えにくくなったり、あるいは、剥がれ易くなるという問題がある。
【０００３】
この問題を解決するため、袋の表面（外側）に表示するのでなく、裏面（内側）から表示するようなラベルが望まれた。袋に限らず、例えば、ガラスなどの透明な被着体に裏面から貼付して表示するものとしては、例えば、特許文献２に示すようなステッカが知られている。
このステッカによれば、台紙上に透明な感圧性粘着剤付の透明な合成樹脂フィルムが仮着され、このフィルムの裏面に逆文字、逆デザインから成る印刷を施し、更にこの印刷面上に、白色の着色印刷を全面に施した構成となっている。
しかしながら、特許文献２のようなステッカでは、合成樹脂フィルムや透明な感圧性粘着剤を使っており、しかも、固定情報を逆デザインで印刷し、さらに、素通しで見えにくくなるため、逆デザインの印刷面上に白色の着色印刷を施すなど、製作に手間が掛かって高価になるばかりか、固定情報しか印刷できないという問題があった。
【０００４】
近年では、ゴミ袋に限らず、袋の表面に表示用ラベル（表示用シート）を貼付するようなことが行われており、例えば、仕出しの弁当販売店が企画するグループ会員制の食材の宅配便などにおいては、代表者のお届け先や内容物の一覧（可変情報）を透明なビニール製の表面に貼るようなことが行われている。前述したように、表面に貼付するとラベルの表示が汚れて見えにくくなったり、また、剥がれ易くなる恐れがあり、これを回避するために、内側に貼付するようなラベルが望まれたが、前述したように高価であるばかりか固定情報しか印刷できないという問題があった。
【特許文献１】特開２００１−３３１１０９号公報
【特許文献２】特開平８−２２７２７０号公報
【発明の開示】
【発明が解決しようとする課題】
【０００５】
本発明は、上記の問題点に着目して成されたものであり、透明な袋など被着体の内側に表示可能で、しかも、既知のプリンタで可変情報が印字可能な表示用シートおよび表示用シートの表示方法を提供することを課題とする。
【課題を解決するための手段】
【０００６】
本発明に係る第１の発明の表示用シートは、シート基材の表面に表示面が形成され、裏面に、シート基材の搬送制御用の識別マークおよび被着体に貼付するための粘着剤層が形成されることを特徴とする表示用シート。
また、粘着剤層を被覆し、被着体に貼付するときに剥離される剥離紙を備えるようにできる。
また、粘着剤層は、少なくとも側端部の１つに設けられるとともに、シート基材の表示面側への折り曲げを容易とする折れ曲げ線部により区画されるようにできる。
本発明に係る第２の発明の表示用シートの表示方法は、シート基材の表面に表示面が形成され、裏面に、シート基材の搬送制御用の識別マークが形成され、かつ、少なくとも側端部の１つに、被着体に貼付するための粘着剤層が折れ曲げ線部により区画されるとともに、前記粘着剤層を剥離紙により被覆して成る表示用シートの使用方法であって、前記折れ曲げ線部に沿って前記粘着剤層および剥離紙を前記シート基材の表示面側に折り返し、かつ、前記粘着剤層を被覆する剥離紙を剥離して粘着剤層を露呈し、粘着剤層を介して透明な被着体の内側に表示することを特徴とする。
【発明の効果】
【０００７】
シート基材の表面に表示面が形成されるとともに、裏面に、シート基材の搬送制御用の識別マークおよび被着体に貼付するための粘着剤層が形成されるので、粘着剤層を介して表示用シートを被着体に表示できるという効果がある。
また、粘着剤層を被覆し、被着体に貼付するときに剥離される剥離紙を備えるようにすれば、既知のプリンタにより表示面に可変情報を印字する場合でも、剥離紙が粘着剤層を被覆しているので、粘着剤層の粘着力により搬送・印字動作が損なわれることがない。
また、粘着剤層を、少なくとも側端部の１つに設けるとともに、シート基材の表面側への折り曲げを容易とする折れ曲げ線部により区画すれば、粘着剤層の表示面側への折り返しが容易となる。
更に、シート基材の表面に表示面が形成され、裏面の少なくとも側端部の１つに、被着体に貼付するための粘着剤層が折れ曲げ線部により区画されるとともに、粘着剤層を剥離紙により被覆されたシート基材を、折れ曲げ線部に沿ってシート基材の表示面側に折り返し、かつ、剥離紙を剥離して粘着剤層を露呈し、粘着剤層を介して透明な被着体の内側に表示するようにしたので、被着体の内側に表示ができ、かつ、透明な被着体を通して表示面が視認可能になるという効果がある。
【発明を実施するための最良の形態】
【０００８】
以下、本発明の実施の形態による表示用シートを図１ないし図４に基づき説明する。
【０００９】
図１は、表示用シート１の一例を示す斜視説明図であり、また、図２は、図１を裏面側から見た説明図であり、さらに、図３は、図１の矢示ＩＩＩ−ＩＩＩ線に沿う概略断面図である。
【００１０】
同図に示すように、表示用シート１は、帯状で長尺状のラベル基材２と、このラベル基材２の一部に形成された粘着剤層３と、この粘着剤層３を被覆する剥離紙４と、を備える。
【００１１】
ラベル基材２の表面側は、「感熱発色剤」が塗布された表示面５となっており、図示省略のプリンタのサーマルヘッドにより熱を加えると所望の情報（可変情報）が印字・表示されるようになっている。
【００１２】
ラベル基材２の裏面側には、一方の側端部（図１および図２における左側端部）に識別マーク６が予め印刷されており、また、他方の側端部（図１および図２における右側端部）に粘着剤層３が長手方向に細長いストライプ状に形成され、さらに、前記粘着剤層３を剥離紙４により被覆している。この剥離紙４は、めくり上げると剥離紙４のみが剥離されて粘着剤層３がラベル基材２側に残った状態で露呈するよう、剥離紙４と粘着剤層３の間に図示省略の離型剤が塗布されている。
【００１３】
前記ラベル基材２の識別マーク６は、ほぼ等間隔に印刷されており、さらに、ほぼこの識別マーク６の位置に長手方向と直交する方向においてミシン目７が施されており、前記識別マーク６は、図示省略のプリンタにより所望の位置に印字を施したり、図示省略のカッター装置により単葉のラベル片８に切断する際の制御に使用されるようになっている。
【００１４】
また、前記ストライプ状に形成された粘着剤層３の、ラベル基材２の中央部側に接する位置に折り曲げ線部９が形成されており、この折り曲げ線部９とラベル基材２の粘着剤層３側の側端部とにより、粘着剤層３は区画・形成される。そして、折り曲げ線部９は、区画された粘着剤層３およびこれを被覆する剥離紙４をラベル基材２の表示面５側へ折り返し易いように形成されており、折り曲げ線部９に沿って粘着剤層３の部分を表面側へ折り返すと表示面５に重なる状態にまで折り曲げることができるようになっている。そして、折り返された粘着剤層３の部分が重なる表示面５の部分は、非印字部１０とされている。なお、前記粘着剤層３の折り返しおよび折り曲げが容易なよう、折り曲げ線部９は、表示面５側にも設けられている。
【００１５】
次に、表示用シート１を使った表示方法を示す。
図４は、単葉のラベル片８を示す平面説明図であり、図示省略のプリンタにより表示用シート１の表示面５に印字を施し、かつ、図示省略のカッター装置により単葉のラベル片８に切断した状態を示しており、表示面５には、お客様名（図示の例では、「佐藤花子」）、お届け先、内容物の一覧、販売会社名（図示の例では、「（株）○×食品販売」）などが印字・表示されている。
なお、プリンタ（図示省略）により表示用シート１に印字を施す際、裏面の粘着剤層３は剥離紙４により被覆されているため、粘着剤層３の粘着力により搬送・印字動作が損なわれることがない。
【００１６】
主に、図４に示すように、ラベル片８の裏面の粘着剤層３、およびこの粘着剤層３を被覆する剥離紙４の部分を、折り曲げ線部９に沿って表示面５側に折り返して行く。このとき、ラベル片８の裏面側の粘着剤層３側の側端部、およびその位置と一致する表面（表示面５）側の双方に、折り曲げ線部９が施されているため、表示面５側への折り返しおよび折り曲げが容易なものである。
さらに、粘着剤層３を被覆する剥離紙４を剥がすと、粘着剤層３が表示面５側で露呈するため、これを図示省略の例えば、ビニール袋状の透明な被着体の内側に貼付すると、表示面５が透明な被着体（図示省略）を通して視認できるため、ビニール袋（被着体）を重ねることによるラベル片８（表示用シート１）の剥がれを防止できた上で、表示部５の内容が視認可能となるものである。
【００１７】
次に、図５ないし図６に基づき、第２の実施の形態につき説明する。
なお、本実施の形態において、先の実施の形態と同様の部分には同一符号を付すに止め、詳説を省略する。
【００１８】
図５は、本実施の形態に係る表示用シート１１を裏面側から見た図２相当の説明図であり、さらに、図６は、図５中、矢示ＶＩ−ＶＩ線に沿う概略断面図である。
【００１９】
同図に示すように、表示用シート１１は、帯状で長尺状のラベル基材２と、このラベル基材２の一部に形成された粘着剤層３と、この粘着剤層３を被覆する剥離紙４と、を備える。
ラベル基材２の一方の側端部（図５、図６における左側端部）に識別マーク６が予め印刷されており、この識別マーク６に近接した中央側には、長手方向にミシン目１２が施されている。また、前記ミシン目１２に隣接した中央側には、粘着剤層３が長手方向に細長いストライプ状に形成され、さらに、前記粘着剤層３を剥離紙４により被覆している。また、粘着剤層３および剥離紙４の、ラベル基材２の中央部側に隣接する位置に折り曲げ線部９が形成されており、粘着剤層３および剥離紙４の表示面５側への折り返し・折り曲げが容易なようになっている。
【００２０】
また、ほぼ前記識別マーク６の位置に長手方向と直交する方向（幅方向）においてミシン目７が施されており、図示省略のカッター装置によりミシン目７より単葉のラベル片１４に切断されるようになっている。このミシン目７と、前記ミシン目１２および側端部（図５および図６における右側端部）とにより、切り取り部１３が区画・形成されており、幅方向のミシン目７に沿って切断して得られたラベル片１４に対し、ミシン目１２に沿って縦方向に力を加えると、ラベル基材２の裏面側に粘着剤層３およびこれを被覆する剥離紙４が残った状態でラベル基材２より切り取り部１３が切り離される。
【００２１】
次に、折り曲げ線部９に沿って粘着剤層３および剥離紙４部分を表示面５側に折り返して折り曲げる。
さらに、剥離紙４を剥がすと、粘着剤層３が表示面５側で露呈するため、これを透明な被着体（図示省略）の内側に貼付すると、表示面５が透明な被着体を通して視認できるものである。
【００２２】
上述したように、本実施の形態においては、識別マーク６側に粘着剤層３および剥離紙４を設けるに際し、表示用シート１１の搬送や切断の制御に使用する識別マーク６を避けて設けるようにしたので、表示面５に対する印字時やミシン目７よりの切断時には、識別マーク６が使えるので制御が確実に行え、また、単葉のラベル片１４に切断したのちは縦に施したミシン目１２より切り取り部１３を切り離すことにとり、粘着剤層３および剥離紙４が側端部に位置することになるため、識別マーク６のない側端部に粘着剤層３および剥離紙４を設けた先の実施の形態と、識別マーク６を避けて識別マーク６側に粘着剤層３および剥離紙４を設けた本実施の形態とを組合わせれば、左右両側端部の粘着剤層３により「ラベル片」が被着体（図示省略）に表示されるので、貼付および表示が確実となるものである。
【００２３】
なお、上記実施の形態の構成及び動作は例であって、本発明の趣旨を逸脱しない範囲で適宜変更することができることは言うまでもない。
例えば、上記実施の形態において、ラベル基材２は、サーマル紙により作製された例で説明したので、表示面５への印字はダイレクト印字方式であるが、熱転写方式、あるいはインクジェット方式等の採用が可能であり、印字方式を限定するものではない。 
【図面の簡単な説明】
【００２４】
【図１】本発明の一実施の形態による表示用シート１の概略斜視説明図である。
【図２】同、図１を裏面側から見た説明図である。
【図３】同、図１の矢示ＩＩＩ−ＩＩＩ線に沿う概略断面図である。
【図４】同、単葉のラベル片８を示す平面説明図である。
【図５】他の実施の形態に係る表示用シート１１を裏面側から見た図２相当の説明図である。
【図６】図５中、矢示ＶＩ−ＶＩ線に沿う概略断面図である。
【符号の説明】
【００２５】
１    表示用シート（第１の実施の形態）
２    ラベル基材
３    粘着剤層
４    剥離紙
５    表示面
６    識別マーク
７    ミシン目
８    ラベル片
９    折り曲げ線部
１０  非印字部
１１  表示用シート（他の実施の形態）
１２  ミシン目
１３  切り取り部
１４  ラベル片
【図１】
2005106952.tif 000003
【図２】
2005106952.tif 000004
【図３】
2005106952.tif 000005
【図４】
2005106952.tif 000006
【図５】
2005106952.tif 000007
【図６】
2005106952.tif 000008